(57)【要約】      （修正有）【課題】データ数の多い信号と、データ数の少ない信号とを低コストで伝送できる信号伝送装置を提供する。【解決手段】光伝送装置１０の送信モジュール１２は、送信電気―光変換回路基板１８及び入力電気信号を送信する信号中継回路基板２０を有し、受信モジュール１４は、光―電気変換回路基板４８及び電気信号用の信号中継回路基板５０を有する。信号中継回路基板２０には、ＤＣ電源供給の電源回路３８が設けられる。送信モジュール１２では電気―光変換回路基板１８と信号中継回路基板２０とが独立して設けられ、受信モジュール１４では光―電気変換回路基板４８と信号中継回路基板５０とが独立して設けられるので、高周波が必要となる映像信号を伝送するための電気―光変換回路基板１８、及び光―電気変換回路基板４８は、各ユーザで共通仕様とし、電源を供給する信号中継回路基板２０及び５０は各ユーザ、あるいは国毎の使用に合致したものとする。【選択図】        図１
2005051729.tif 000002
【特許請求の範囲】
【請求項１】
映像情報を含む電気信号を入力して映像情報を含む光信号に変換して出力する電気―光変換回路基板と、前記電気―光変換回路基板とは独立して設けられ前記映像情報以外の情報を含む電気信号を入出力する第１信号中継基板とを備えた送信手段と、
前記送信手段より出力された映像情報を含む光信号を入力して映像情報を含む電気信号に変換して出力する光―電気変換回路基板と、前記光―電気変換回路基板とは独立して設けられ前記送信手段の前記映像情報以外の情報を含む電気信号を相互に、或いは一方向に送受信する第２信号中継基板とを備えた前記受信手段と、
前記電気―光変換回路基板と前記光―電気変換回路基板とを接続する光ファイバケーブルと、
前記第１信号中継基板と前記第２信号中継基板とを信号伝送可能に接続する接続手段と、
を有することを特徴とする信号伝送装置。
【請求項２】
前記第１信号中継基板は、電源回路を搭載しており、
前記第２信号中継基板は、電源回路を搭載している、
ことを特徴とする請求項１に記載の信号伝送装置。
【請求項３】
前記第１信号中継基板は、映像信号を制御する制御用電気信号を入出力する第１の回路を搭載しており、
前記第２信号中継基板は、映像信号を制御する制御用電気信号を入出力する第２の回路を搭載している、ことを特徴とする請求項１または請求項２に記載の信号伝送装置。
【請求項４】
前記第１信号中継基板は、音声信号を入出力する第３の回路を搭載しており、
前記第２信号中継基板は、前記第１信号中継基板より出力された音声信号を入出力する第４の回路を搭載している、ことを特徴とする請求項１乃至請求項３の何れか１項に記載の信号伝送装置。
【請求項５】
前記送信手段は、複数の前記電気−光変換回路を備え、
前記受信手段は、複数の前記光−電気変換回路を備えている、ことを特徴とする請求項１乃至請求項４の何れか１項に記載の信号伝送装置。
【請求項６】
第１の電気信号を入力して第１の光信号に変換して出力する電気―光変換回路基板と、前記電気―光変換回路基板とは独立して設けられ前記第１の電気信号よりもデータ数の少ない第２の電気信号を入出力する第１信号中継基板とを備えた前記送信手段と、
前記送信手段より出力された第１の光信号を入力して第１の電気信号に変換して出力する光―電気変換回路基板と、前記光―電気変換回路基板とは独立して設けられ前記送信手段の前記第1信号中継基板と相互に、或いは一方向に信号を送受信する第２信号中継基板とを備えた前記受信手段と、
前記電気―光変換回路基板と前記光―電気変換回路基板とを接続する光ファイバケーブルと、
前記第１信号中継基板と前記第２信号中継基板とを信号通信可能に接続する通信手段と、
を有することを特徴とする信号伝送装置。
【請求項７】
前記接続手段が、電気ケーブルを含んで構成されていることを特徴とする請求項１〜請求項６のいずれかに記載の信号伝送装置。
【請求項８】
前記接続手段が、光ファイバケーブルを含んで構成されていることを特徴とする請求項１〜請求項６のいずれかに記載の信号伝送装置。
【請求項９】
前記接続手段が、無線通信部材を含んで構成されていることを特徴とする請求項１〜請求項６のいずれかに記載の信号伝送装置。
【発明の詳細な説明】
【技術分野】
【０００１】
本発明は、光信号を用いた信号伝送装置に関するものである。
【背景技術】
【０００２】
近年では、データ数の多い信号を伝送する際に、光信号を用いた信号伝送装置が用いられている（例えば、特許文献１参照）。
【０００３】
特許文献１には、光信号を送受信するための光信号送受信モジュールが開示されている。
【０００４】
この中で開示された技術は、光回路基板の送受信回路がリジッドフレキシブル基板によって接続された構成とすることを特徴としているが、光信号のみの送受信に適用可能なモジュール構成となっている。
【特許文献１】特開平１１−３４５９８７号
【発明の開示】
【発明が解決しようとする課題】
【０００５】
この技術に代表される光信号送受信装置における課題は、以下が挙げられる。
【０００６】
光送受信回路基板のみを搭載したモジュールとしているため、ある一つのアプリケーションに適用可能な設計となることから、複数のアプリケーションに適用するためには、再度個別に設計しなければならない。
【０００７】
このため、例えば映像信号を光信号に変換して伝送する装置の場合、電気信号として送受信する音声信号を同時に伝送するようなモジュールでは、映像信号と音声信号を伝送する回路、つまり光信号と電気信号を送受信する回路を両方搭載した基板を作製しなければならない。
【０００８】
実際に映像信号を送受信する装置においては、映像信号のみではなく音声信号も送受信可能なことが要求される場合が多い。
【０００９】
音声信号は、データ数の多い高画質映像信号を伝送するのに必要となる光信号伝送と比較してデータ数が少なく、即ち信号の伝送周波数が低く、部品点数や高コストの部品が必要となる光信号送受信回路を適用するメリットは、あまりない。
【００１０】
また、複数のアプリケーションに適用できない構成となっていることから、この装置を複数の製品に適用しようとした場合、個別の基板設計等が必要となり、設計費の上昇や製造費が高くなってしまう。
【００１１】
また、ユーザーの要求する電源仕様（例えば、国によって電源の電圧が異なるため。）に合致した構成としなければならない場合もある。
【００１２】
このような場合、光回路に電源回路を搭載すると、ユーザー要求に応じてすべての回路を変更しなければならず、コストの上昇を招いてしまう。
【００１３】
本発明は、上記問題を解決すべく成されたもので、データ数の多い信号と、データ数の少ない信号とを伝送可能で、かつ低コストとすることのできる信号伝送装置を提供することが目的である。
【課題を解決するための手段】
【００１４】
上記目的を達成するために請求項１に記載の信号伝送装置は、映像情報を含む電気信号を入力して映像情報を含む光信号に変換して出力する電気―光変換回路基板と、前記電気―光変換回路基板とは独立して設けられ前記映像情報以外の情報を含む電気信号を入出力する第１信号中継基板とを備えた送信手段と、前記送信手段より出力された映像情報を含む光信号を入力して映像情報を含む電気信号に変換して出力する光―電気変換回路基板と、前記光―電気変換回路基板とは独立して設けられ前記送信手段の前記映像情報以外の情報を含む電気信号を相互に、或いは一方向に送受信する第２信号中継基板とを備えた前記受信手段と、前記電気―光変換回路基板と前記光―電気変換回路基板とを接続する光ファイバケーブルと、前記第１信号中継基板と前記第２信号中継基板とを信号伝送可能に接続する接続手段と、を有することを特徴とする。
【００１５】
次に、請求項１に記載の信号伝送装置の作用を説明する。
【００１６】
請求項１に記載の信号伝送装置では、送信手段の電気―光変換回路基板に、第１の機器（例えば、パーソナルコンピュータ等）から出力された映像情報を含む電気信号が入力され、第１信号中継基板に、同じく第１の機器（または他の機器でも良い）から映像情報以外の情報を含む電気信号が入出力される。
【００１７】
一方、受信手段では、光―電気変換回路基板に、画像を表示するプラズマディスプレー等の第２の機器（画像表示装置）が電気ケーブル等を介して接続され、第２信号中継基板に、前記第２の機器（または他の機器でも良い）が接続される。
【００１８】
電気―光変換回路基板と光―電気変換回路基板とが光ファイバケーブルで接続されているので、第１の機器から出力された多量のデータ（映像情報）を含んだ光信号を光ファイバケーブルを介して第２の機器へ伝送することが出来る。
【００１９】
また、第１信号中継基板と第２信号中継基板とが接続手段で接続されているので、同じく第１の機器（または他の機器）と第２の機器（または他の機器）とで、映像情報以外の情報を接続手段を介して送受信することが出来る。
【００２０】
送信手段では、電気―光変換回路基板と第１信号中継基板とが独立して設けられているので、第１信号中継基板のみを、仕様の異なる他の種類の第１信号中継基板に交換することが出来る。
【００２１】
受信手段では、光―電気変換回路基板と第２信号中継基板とが独立して設けられているので、第２信号中継基板のみを、仕様の異なる他の種類の第２信号中継基板に交換することが出来る。
【００２２】
請求項２に記載の発明は、請求項１に記載の信号伝送装置において、前記第１信号中継基板は、電源回路を搭載しており、前記第２信号中継基板は、電源回路を搭載している、ことを特徴とする。
【００２３】
次に、請求項２に記載の信号伝送装置の作用を説明する。
【００２４】
送信手段では、第１信号中継基板から電気―光変換回路基板へ電源が供給され、受信手段では、第２信号中継基板から光―電気変換回路基板へ電源が供給される。
【００２５】
請求項３に記載の発明は、請求項１または請求項２に記載の信号伝送装置において、前記第１信号中継基板は、映像信号を制御する制御用電気信号を入出力する第１の回路を搭載しており、前記第２信号中継基板は、映像信号を制御する制御用電気信号を入出力する第２の回路を搭載している、ことを特徴とする。
【００２６】
次に、請求項３に記載の信号伝送装置の作用を説明する。
【００２７】
請求項３に記載の信号伝送装置では、第１の回路と第２の回路とで、例えば、第１の機器ち第２の機器との間の映像信号を制御する制御用電気信号が入出力される。
【００２８】
請求項４に記載の発明は、請求項１乃至請求項３の何れか１項に記載の信号伝送装置において、前記第１信号中継基板は、音声信号を入出力する第３の回路を搭載しており、前記第２信号中継基板は、前記第１信号中継基板より出力された音声信号を入出力する第４の回路を搭載している、ことを特徴としている。
【００２９】
次に、請求項４に記載の信号伝送装置の作用を説明する。
【００３０】
請求項４に記載の信号伝送装置では、第３の回路に音声信号が入力し、入力した音声信号が第３の回路から出力される。第３の回路から出力された音声信号は電気ケーブルを介して第４の回路に入力する。
【００３１】
第４の回路に入力された音声信号は第４の回路から出力され、第２の機器等へ伝送することが出来る。
【００３２】
請求項５に記載の発明は、請求項１乃至請求項４の何れか１項に記載の信号伝送装置において、前記送信手段は、複数の前記電気−光変換回路を備え、前記受信手段は、複数の前記光―電気変換回路基板を備えている、ことを特徴としている。
【００３３】
次に、請求項５に記載の信号伝送装置の作用を説明する。
【００３４】
本発明の信号伝送装置では、１つの電気−光変換回路基板と１つの光−電気変換回路基板とが対になっており、電気−光変換回路と光−電気変換回路とが、１本又は複数本の光ファイバケーブルで接続される。
【００３５】
特に、請求項５に記載の信号伝送装置では、送信手段が複数の電気−光変換回路を備え、受信手段が複数の光−電気変換回路を備えているので、複数種類の信号を伝送する場合、前記信号の種類分だけ用意すれば、各信号をそれぞれ個別の光ファイバケーブルで伝送することが出来る。
【００３６】
請求項６に記載の信号伝送装置は、第１の電気信号を入力して第１の光信号に変換して出力する電気―光変換回路基板と、前記電気―光変換回路基板とは独立して設けられ前記第１の電気信号よりもデータ数の少ない第２の電気信号を入出力する第１信号中継基板とを備えた前記送信手段と、前記送信手段より出力された第１の光信号を入力して第１の電気信号に変換して出力する光―電気変換回路基板と、前記光―電気変換回路基板とは独立して設けられ前記送信手段の前記第1信号中継基板と相互に、或いは一方向に信号を送受信する第２信号中継基板とを備えた前記受信手段と、前記電気―光変換回路基板と前記光―電気変換回路基板とを接続する光ファイバケーブルと、前記第１信号中継基板と前記第２信号中継基板とを信号通信可能に接続する通信手段と、を有することを特徴とする。
【００３７】
次に、請求項６に記載の信号伝送装置の作用を説明する。
【００３８】
請求項６に記載の信号伝送装置では、送信手段の電気―光変換回路基板に、第１の機器から出力されたデータ数の多い電気信号が入力され、第１信号中継基板に、同じく第１の機器（または他の機器でも良い）かとで、データ数の少ない電気信号が入出力される。
【００３９】
一方、受信手段では、光―電気変換回路基板に、画像を表示するプラズマディスプレー等の第２の機器が電気ケーブル等を介して接続され、第２信号中継基板に、前記第２の機器（または他の機器でも良い）が接続される。
【００４０】
電気―光変換回路基板と光―電気変換回路基板とが光ファイバケーブルで接続されているので、第１の機器から出力された多量のデータを含んだ光信号を光ファイバケーブルを介して第２の機器へ伝送することが出来る。
【００４１】
また、第１信号中継基板と第２信号中継基板とが接続手段で接続されているので、同じく第１の機器（または他の機器）と第２の機器（または他の機器）とで、データ数の少ない電気信号を接続手段を介して送受信することが出来る。
【００４２】
送信手段では、電気―光変換回路基板と第１信号中継基板とが独立して設けられているので、第１信号中継基板のみを、仕様の異なる他の種類の第１信号中継基板に交換することが出来る。
【００４３】
受信手段では、光―電気変換回路基板と第２信号中継基板とが独立して設けられているので、第２信号中継基板のみを、仕様の異なる他の種類の第２信号中継基板に交換することが出来る。
【００４４】
請求項７に記載の信号伝送装置では、請求項１〜請求項６のいずれかに記載の信号伝送装置において、前記接続手段が、電気ケーブルを含んで構成されていることを特徴とする。
【００４５】
接続手段として、電気ケーブルを含んで構成することで、接続手段を低コストで実現可能となる。
【００４６】
請求項８に記載の信号伝送装置では、請求項１〜請求項６のいずれかに記載の信号伝送装置において、接続手段が、光ファイバケーブルを含んで構成されていることを特徴とする。
【００４７】
接続手段として、光ファイバケーブルを含んで構成することで、より確実な信号伝送が可能となる。
【００４８】
請求項９に記載の信号伝送装置では、請求項１〜請求項６のいずれかに記載の信号伝送装置において、接続手段が、無線通信部材を含んで構成されていることを特徴とする。
【００４９】
接続手段として、無線通信部材を含んで構成することで、信号伝送のための配線が不要となる。
【発明の効果】
【００５０】
以上説明したように本発明によれば、データ数の多い信号と、データ数の少ない信号とを伝送可能で、かつ装置のコストを最小限に抑えることができる、という優れた効果を有する。
【発明を実施するための最良の形態】
【００５１】
［第１の実施形態］
以下、図面を参照して本発明の第１の実施形態の光伝送装置を詳細に説明する。
【００５２】
図１に示すように、本実施形態の光伝送装置１０は、送信モジュール１２、受信モジュール１４を備えており、送信側外部装置８６と受信側外部装置８８との間の信号伝送に使用される。
【００５３】
（送信モジュールの構成）
送信モジュール１２は、後述する受信モジュール１４の筐体４６と同一形状のボックス状の筐体１６を備えている。
【００５４】
筐体１６の内部には、電気信号を光信号に変換して送信する電気―光変換回路基板１８、及び入力した電気信号を中継する信号中継回路基板２０が配置され、これらの基板はビス等で筐体１６に取り付けられている。
【００５５】
電気―光変換回路基板１８には、一端に電気信号を入力するメス電気コネクタ２２が取り付けられており、他端に光信号を出力するメス光コネクタ２４が取り付けられている。なお、メス光コネクタ２４の内側に、光信号を出力する発光素子２６（一例としてレーザダイオード）が、電気―光変換回路３６に対応して同数だけ内蔵されている。このレーザダイオードとしてはとしては、例えば、ＶＣＳＥＬ等を挙げることができる。
【００５６】
メス電気コネクタ２２には、例えば、図示しないパーソナルコンピュータに接続された映像信号ケーブル２８のオス電気コネクタ３０が接続される。
【００５７】
なお、本実施形態では、パーソナルコンピュータから映像信号、及び映像制御信号が映像信号ケーブル２８に出力される。この映像制御信号とは、例えば、ＤＤＣ信号などである。
【００５８】
さらに、電気―光変換回路基板１８には、メス電気コネクタ３２が取り付けられており、信号中継回路基板２０には、オス電気コネクタ３４が取り付けられており、メス電気コネクタ３２とオス電気コネクタ３４とが互いに接続されている。
【００５９】
信号中継回路基板２０には、電気―光変換回路基板１８の電気―光変換回路３６にＤＣ電源を供給する電源回路３８、及び映像制御信号を中継する電気信号中継回路４０の２つの回路が設けられている。
【００６０】
本実施形態では、パーソナルコンピュータからの映像信号、及び映像制御信号が映像信号ケーブル２８を介して電気―光変換回路基板１８の電気―光変換回路３６に入力されるが、映像制御信号は、電気―光変換回路基板１８に設けられた図示しない配線パターン、メス電気コネクタ３２、オス電気コネクタ３４、及び信号中継回路基板２０の電気信号中継回路４０を介して、信号中継回路基板２０に設けられたメス電気コネクタ４２から入出力される。さらに、メス電気コネクタ４２から入出力される電気信号には、例えば、上記の映像制御信号の他に、障害検知信号、電源投入検知信号等の検知信号がある。これらの電気信号はその種類に応じて、たとえば、後述する受信モジュールの信号中継回路基板５０から送信モジュールの信号中継回路基板２０へと送られることがある。
【００６１】
なお、以降のすべての図面において、電気―光変換回路３６を１つのみ示しているが、実際は、映像信号ケーブル２８から送られる信号に対応して、電気―光変換回路３６は１又は複数設けられる（たとえば、一般的なＤＶＩケーブルでは、Ｒ、Ｇ、Ｂ、ＣＬＫの４種の信号が送られるので、電気―光変換回路３６も、これら４つの信号のそれぞれに対応するように４つ設けられる）。この場合には、電気―光変換回路基板１８に複数の発光素子２６が設けられる。
【００６２】
電源回路３８には、図示しないＡＣ電源に接続されたＡＣアダプター４４が接続されており、電源回路３８は、オス電気コネクタ３４、及びメス電気コネクタ３２を介して電気―光変換回路基板１８の電気―光変換回路３６に接続され、ＤＣ電源を電気―光変換回路３６に供給する。
【００６３】
信号中継回路基板２０は、送信モジュール１２が動作中であることを表示する、例えば緑色のＬＥＤ（図中符号Ａ）を備えており、動作中はＬＥＤ（Ａ）が点灯する。
【００６４】
さらに、信号中継回路基板２０は、診断回路（図示せず）、及び例えば赤色のＬＥＤ（図中符号Ｂ）を備えている。
【００６５】
ＬＥＤ（Ａ）、及びＬＥＤ（Ｂ）は、筐体１６の外側から見えるように取り付けられている。
【００６６】
診断回路は、送信モジュール１２の各回路が動作不良を生じたり、信号伝送に何らかのの不具合が発生した場合に、赤色のＬＥＤ（Ｂ）を点灯させる。
【００６７】
この信号伝送の何らかの不具合とは、例えば、光ファイバケーブル７２が接続されていない場合や切断された場合等で、受信モジュール１４が光ファイバケーブル７２からの光信号を受信できていない場合のことであり、詳しくは後述する。
【００６８】
（受信モジュールの構成）
受信モジュール１４は、送信モジュール１２の筐体１６と同一形状のボックス状の筐体４６を備えている。
【００６９】
筐体４６の内部には、受信した光信号を電気信号に変換して出力する光―電気変換回路基板４８、及び入力した電気信号を中継する信号中継回路基板５０が配置され、これらの基板はビス等で筐体１６に取り付けられている。
【００７０】
光―電気変換回路基板４８には、一端に光信号を入力するメス光コネクタ５１が取り付けられており、他端に電気信号を出力するメス電気コネクタ５２が取り付けられている。なお、メス光コネクタ５１の内側に、光信号を受信する受光素子５４（一例としてフォトダイオード）が、光―電気変換回路４８と対応して同数だけ内蔵されている（発光素子２６と受光素子５４とは同数になっている）。
【００７１】
メス電気コネクタ５２には、例えば、図示しないモニター（例えば、プラズマディスプレー）に接続された映像信号ケーブル５６のオス電気コネクタ５８が接続される。
【００７２】
なお、このメス電気コネクタ５２からは、映像信号、及び後述する電気信号中継回路６８からの映像制御信号が出力される。
【００７３】
さらに、光―電気変換回路基板４８には、メス電気コネクタ６０が取り付けられており、信号中継回路基板５０には、オス電気コネクタ６２が取り付けられており、メス電気コネクタ６０とオス電気コネクタ６２とが互いに接続されている。
【００７４】
信号中継回路基板５０には、送信モジュール１２と映像制御信号を入出力するためのメス電気コネクタ７０が取り付けられている。
【００７５】
また、信号中継回路基板５０には、光―電気変換回路基板４８の光―電気変換回路６４にＤＣ電源を供給する電源回路６６、及び映像制御信号を中継する電気信号中継回路６８の２つの回路が設けられている。
【００７６】
なお、光―電気変換回路６４も電気―光変換回路３６と同様に、すべての図面において１つのみ示しているが、実際は、信号の種類に対応して必要な数だけ設けられ、受光素子５４も複数設けらる。同様に、光ファイバケーブル７２も、信号の種類に対応して必要な数だけ設けられる。たとえば、Ｒ、Ｇ、Ｂ、ＣＬＫの４種の信号の場合には、これらに対応して、光―電気変換回路６４は４つ設けられ、光ファイバケーブル７２も４本設けられる。ただし、例えば、４種の光信号をパラレル−シリアル変換や波長多重方式等によって１種又は２種程度の信号とすることも可能であり、この場合には、光ファイバケーブル７２は、光信号の数に対応して１本若しくは２本とすることが可能である。
【００７７】
ここで、送信モジュール１２のメス光コネクタ２４には光ファイバケーブル７２の一端に設けたオス光コネクタ７４が接続され、受信モジュール１４のメス光コネクタ５１には光ファイバケーブル７２の他端に設けたオス光コネクタ７６が接続される。
【００７８】
また、送信モジュール１２のメス電気コネクタ４２には電気ケーブル７８の一端に設けたオス電気コネクタ８０が接続され、受信モジュール１４のメス電気コネクタ７０には電気ケーブル７８の他端に設けたオス電気コネクタ８２が接続される。
【００７９】
したがって、映像信号は、光ファイバケーブル７２を介して光―電気変換回路基板４８の光―電気変換回路６４に入力する。
【００８０】
また、映像制御信号は電気ケーブル７８を介して信号中継回路基板２０の電気信号中継回路４０と、信号中継回路基板５０の電気信号中継回路６８とで送受信されるが、映像制御信号は、オス電気コネクタ６２、メス電気コネクタ６０、及び光―電気変換回路基板４８の図示しないパターンを介してメス電気コネクタ５２に出力される。
【００８１】
電源回路６６には、図示しないＡＣ電源に接続されたＡＣアダプター８４が接続されており、電源回路６６は、オス電気コネクタ６２、及びメス電気コネクタ６０を介して光―電気変換回路基板４８の光―電気変換回路６４に接続され、ＤＣ電源を光―電気変換回路６４に供給する。
【００８２】
信号中継回路基板５０は、受信モジュール１４が動作中であることを表示する、例えば緑色のＬＥＤ（図中符号Ｃ）を備えており、動作中はＬＥＤ（Ｃ）が点灯する。
【００８３】
さらに、信号中継回路基板５０は、診断回路（図示せず）、及び例えば赤色のＬＥＤ（図中符号Ｄ）を備えている。
【００８４】
ＬＥＤ（Ｃ）、及びＬＥＤ（Ｄ）は、筐体４６の外側から見えるように取り付けられている。
【００８５】
診断回路は、受信モジュール１４の各回路が動作不良を生じたり、光信号を受信していない場合や（送信モジュール１２が送信していない場合）、信号伝送に何らかの不具合が発生した場合に、赤色のＬＥＤ（Ｄ）を点灯させる。
【００８６】
この信号伝送の何らかの不具合とは、例えば、光ファイバケーブル７２が接続されていない場合や切断された場合等である。
【００８７】
なお、信号中継回路基板５０の診断回路は、受信モジュール１４が光信号を受信した場合に、光信号を受信したことを知らせる受信信号を電気ケーブル７８を介して送信モジュール１２へ送信する。
【００８８】
送信モジュール１２では、光信号を送信しているにもかかわらず、受信信号を受信しないと、送信モジュール１２の診断回路が、信号伝送に何らかの不具合（例えば、光ファイバケーブル７２が接続されていない場合や切断された場合等）が発生している判断し、送信モジュール１２の赤色のＬＥＤ（Ｂ）を点灯させる。
【００８９】
（作用）
次に、本実施形態の光伝送装置１０の作用を説明する。
【００９０】
パーソナルコンピュータから映像信号（電気信号）が送信モジュール１２に入力すると、映像信号は電気―光変換回路基板１８で光信号に変換され、光ファイバケーブル７２を介して受信モジュール１４へ送信される。映像制御信号は、信号中継回路基板２０、電気ケーブル７８、信号中継回路基板５０を介して送信モジュール１２と受信モジュール１４とで送受信される。
【００９１】
受信モジュール１４では、光信号（映像信号）が光―電気変換回路６４にて電気信号に変換され、電気信号（映像信号）が映像信号ケーブル５６を介して図示しないモニターへ伝送され、映像制御信号は電気信号中継回路６８、及び映像信号ケーブル５６を介してモニターへ伝送される。
【００９２】
そして、本実施形態の光伝送装置１０は以下のような効果を有する。
【００９３】
先ず、送信モジュール１２では電気―光変換回路基板１８と信号中継回路基板２０とが独立して設けられており、受信モジュール１４では光―電気変換回路基板４８と信号中継回路基板５０とが独立して設けられているので、高周波が必要となる映像信号を伝送するための電気―光変換回路基板１８、及び光―電気変換回路基板４８は、各ユーザーで共通仕様とし、電源を供給する信号中継回路基板２０、及び信号中継回路基板５０は各ユーザー、あるいは国毎の使用に合致したものとすることが出来る。
【００９４】
このため、各ユーザー、あるいは国毎の仕様によって全ての基板を変更する場合に比較して、設計期間、及び開発期間が短縮され、電気―光変換回路基板１８、及び光―電気変換回路基板４８は同一部品を使用することができるので、コストの低減を図ることが出来る。
【００９５】
［第２の実施形態］
以下、図面を参照して本発明の第２の実施形態の光伝送装置を詳細に説明する。なお、第１の実施形態と同一構成には同一符号を付し、その説明は省略する。
【００９６】
（送信モジュールの構成）
図２に示すように、本実施形態の光伝送装置１００の送信モジュール１０２では、第１の実施形態の信号中継回路基板２０とは異なる仕様の信号中継回路基板１０４が搭載されている。
【００９７】
本実施形態の信号中継回路基板１０４では、入力した映像制御信号を送信する電気信号中継回路４０の代わりに、入力した音声信号を送信する電気信号中継回路１０６が搭載されている。
【００９８】
また、信号中継回路基板１０４には、電気信号中継回路１０６と接続されるメス電気コネクタ１０８が取り付けられている。
【００９９】
図示しないパーソナルコンピュータからの音声信号（電気信号）は、音声信号ケーブル１１０に出力される。音声信号ケーブル１１０にはオス電気コネクタ１１２が取り付けられており、このオス電気コネクタ１１２がメス電気コネクタ１０８に接続される。
【０１００】
信号中継回路基板１０４は、送信モジュール１０２が動作中であることを表示する、例えば緑色のＬＥＤ（図中符号Ｅ）を備えており、動作中はＬＥＤ（Ｅ）が点灯する。
【０１０１】
さらに、信号中継回路基板１０４は、診断回路、及び例えば赤色のＬＥＤ（図中符号Ｆ）を備えている。
【０１０２】
ＬＥＤ（Ｅ）、及びＬＥＤ（Ｆ）は、筐体１６の外側から見えるように取り付けられている。
【０１０３】
診断回路は、送信モジュール１０２の各回路が動作不良を生じたり、信号伝送になんらかの不具合が発生した場合に、赤色のＬＥＤ（Ｆ）を点灯させる。
【０１０４】
この信号伝送の何らかの不具合とは、例えば、光ファイバケーブル７２が接続されていない場合や切断された場合等で、受信モジュール１１４が光ファイバケーブル７２からの光信号を受信できていない場合のことであり、詳しくは後述する。
【０１０５】
（受信モジュールの構成）
本実施形態の受信モジュール１１４では、第１の実施形態の信号中継回路基板５０とは異なる仕様の信号中継回路基板１１６が搭載されている。
【０１０６】
本実施形態の信号中継回路基板１１６では、映像制御信号を受信する電気信号中継回路６８の代わりに、入力した音声信号を送信する電気信号中継回路１１８が搭載されている。
【０１０７】
また、信号中継回路基板１１６には、電気信号中継回路１１８と接続され、音声信号を出力するメス電気コネクタ１２０が取り付けられている。
【０１０８】
メス電気コネクタ１２０には、例えば、図示しないモニター（例えば、プラズマディスプレー等）に接続された音声信号ケーブル１２２のオス電気コネクタ１２４が接続される。
【０１０９】
信号中継回路基板１１６には、受信モジュール１１４が動作中であることを表示する、例えば緑色のＬＥＤ（図中符号Ｇ）を備えており、動作中はＬＥＤ（Ｇ）が点灯する。
【０１１０】
さらに、信号中継回路基板１１６は、診断回路（図示せず）、及び例えば赤色のＬＲＤ（図中符号Ｈ）を備えている。
【０１１１】
ＬＥＤ（Ｇ）、及びＬＥＤ（Ｈ）は、筐体４６の外側から見えるように取り付けられている。
【０１１２】
診断回路は、受信モジュール１１４の各回路が動作不良を生じたり、光信号を受信していない場合や（送信モジュール１０２が送信していない場合）、信号伝送に何らかの不具合が発生した場合に、赤色のＬＲＤ（Ｈ）を点灯させる。
【０１１３】
この信号伝送の何らかの不具合とは、例えば、光ファイバケーブル７２が接続されていない場合や切断された場合等である。
【０１１４】
なお、信号中継回路基板１１６の診断回路は、光信号を受信した場合に、光信号を受信したことを知らせる受信信号を電気ケーブル７８を介して送信モジュール１０２へ送信する。
【０１１５】
送信モジュール１０２では、光信号を送信しているにもかかわらず、受信信号を受信しないと、送信モジュール１０２の診断回路が、信号伝送に何らかの不具合（例えば、光ファイバケーブル７２が接続されていない場合や切断された場合等）が発生している判断し、送信モジュール１０２の赤色のＬＥＤ（Ｆ）を点灯させる。
【０１１６】
（作用）
次に、本実施形態の光伝送装置１００の作用を説明する。
【０１１７】
本実施形態では、パーソナルコンピュータから映像信号、及び音声信号（共に電気信号）が送信モジュール１０２に入力すると、映像信号は電気―光変換回路基板１８で光信号に変換され、光ファイバケーブル７２を介して受信モジュール１１４へ送信され、音声信号は、電気信号中継回路１０６、及び電気ケーブル７８を介して受信モジュール１１４へ送信される。
【０１１８】
受信モジュール１１４では、光信号（映像信号）が光―電気変換回路６４にて電気信号に変換され、電気信号（映像信号）が映像信号ケーブル５６を介して図示しないモニターへ伝送され、音声信号は電気信号中継回路１１８、及び音声信号ケーブル１２２を介して図示しないモニターへ伝送される。
【０１１９】
また、本実施形態の光伝送装置１００は以下のような効果を有する。
【０１２０】
本実施形態においても、送信モジュール１０２では電気―光変換回路基板１８と信号中継回路基板１０４とが独立して設けられており、受信モジュール１１４では光―電気変換回路基板４８と信号中継回路基板１１６とが独立して設けられているので、高周波が必要となる映像信号を伝送するための電気―光変換回路基板１８、及び光―電気変換回路基板４８は、各ユーザーで共通仕様とし、電源を供給する信号中継回路基板１０４、及び信号中継回路基板１１６は各ユーザー、あるいは国毎の使用に合致したものとすることが出来る。
【０１２１】
このため、本実施形態においても、各ユーザー、あるいは国毎の仕様によって全ての基板を変更する場合に比較して、設計期間、及び開発期間が短縮され、電気―光変換回路基板１８、及び光―電気変換回路基板４８は同一部品を使用することができるので、コストの低減を図ることが出来る。
【０１２２】
［第３の実施形態］
以下、図面を参照して本発明の第３の実施形態の光伝送装置を詳細に説明する。なお、第１の実施形態又は第２の実施形態と同一構成には同一符号を付し、その説明は省略する。
【０１２３】
図４に示すように、本実施形態の光伝送装置２００の送信モジュール２０２では、第１の実施形態の電気−光変換回路基板１８及び信号中継回路基板２０とは異なる仕様の電気−光変換回路基板２０３及び信号送信回路基板２０４が搭載されている。
【０１２４】
電気−光変換回路基板２０３には、図３にも示すように、パーソナルコンピュータなどのホスト（外部装置）から映像信号ケーブル（ＤＶＩケーブル）２８を通じて、映像信号の入力及び映像制御信号の入出力がなされ、さらに、ホストから信号中継回路基板２０４へ、音声信号の入力と制御信号の入出力がなされるようになっている。
【０１２５】
電気−光変換回路基板２０３には、映像信号及び映像制御信号の入出力部が設けられている。一般に、映像信号及び映像制御信号は、いずれも規格化されたＤＶＩ（デジタルビデオインターフェイス）に含まれる信号であり、規格で決められたコネクタにより入出力されるので、本実施形態では、映像信号と映像制御信号の入出力部を電気−光変換回路基板２０３に設けて、構造の簡素化を図っている。これらの信号のうち、映像信号は、電気−光変換回路２０６によって光化され出力される。
【０１２６】
これに対し、映像制御信号は、光化されることなく、送信モジュール２０２と受信モジュール２１６との間で送受信される。
【０１２７】
信号中継回路基板２０４には、映像制御信号中継回路２０８、音声信号中継回路２１０及び制御信号中継回路２１２が設けられており、それぞれ、映像制御信号、音声信号及び制御信号が入力（又は入出力）される、これらの中継回路としては、たとえばバッファー回路を挙げることができるが、信号の特性に応じて、種々の回路を選択できる。
【０１２８】
また、信号中継回路基板２０４には電気信号入出力部２１４が設けられており、映像制御信号中継回路２０８、音声信号中継回路２１０及び制御信号中継回路２１２から送られた各信号が一つにまとめられて入出力される。本実施形態では、まとめられた信号が電気ケーブル７８によって伝送されるようになっている。これは、一般に、映像制御信号、音声信号及び制御信号はいずれも、映像信号と比較して伝送帯域が低く、電気ケーブル７８でも、長距離伝送を行うのに十分であるためである。
【０１２９】
受信モジュール２１６内には、光−電気変換回路２２１を備えた光−電気変換回路基板２１８が設けられており、送信モジュール２０２から光ファイバケーブル７２を通じて伝送された光信号が、元の画像信号に戻される。なお、この第３実施形態から、後述する第４及び第５実施形態においても、電気−光変換回路２０６、光−電気変換回路２１１及び光ファイバケーブル７２は１つのみ図示しているが、必要に応じて、これらは複数（たとえばＲ、Ｇ、Ｂ、ＣＬＫの各信号に対応する場合には４つずつ）設けられる。
【０１３０】
また、受信モジュール２１６内には、電気信号入出力部２２０、映像制御信号中継回路２２２、音声信号中継回路２２４及び制御信号中継回路２２６を備えた信号中継回路基板２２８が設けられている。送信モジュール２０２との間で電気ケーブル７８を通じて送受信された信号は、光−電気変換回路２２１を経て、それぞれの中継回路に送られる。ここで、映像制御信号は、映像制御信号中継回路２２２から光−電気変換回路基板２１８へと送られ、光電変換された映像信号と共に、ＤＶＩ規格のコネクターから映像信号ケーブル（ＤＶＩケーブル）２８へとさらに送られる。これに対し、音声信号及び制御信号は、それぞれの中継回路から、信号中継回路基板２２８に設けられたコネクタを経て、音声／制御信号ケーブル１２２に送られる。
【０１３１】
なお、送信モジュール２０２及び受信モジュール２１６には、必要に応じて、電源回路２３０や、その他の図示しない安全回路、ノイズ抑制回路など、本発明の光伝送装置に必要な各種の回路や部材が設けられる。これらの回路や部材は、必要に応じて、送信モジュール２０２及び受信モジュール２１６の双方もしくはいずれか一方に設ければよい。図５では、それぞれの信号中継回路基板２０４及び信号中継回路基板２２８に電源回路２３０を設けているが、電源回路２３０は信号中継回路基板２０４又は信号中継回路基板２２８のいずれか一方でもよく、また、電気−光変換回路基板２０３や光−電気変換回路基板２１８に設けてもよい。電源回路２３０にはＡＣアダプタを備えた電源ケーブル２３２（図１参照）が設けられており、コンセント等から電力が供給されるようになっている。
【０１３２】
このような構成とされた第３の実施形態においても、送信モジュール２０２では電気−光変換回路基板２０３と信号中継回路基板２０４とが独立して設けられ、さらに受信モジュール２１６でも光−電気変換回路基板２１８と信号中継回路基板２２８とが独立して設けられている。一般に、商品やメーカーあるいは使用地域（国）が異なると、音声信号の特性が変化したり、制御信号の仕様が変更されたりすることがあるが、このような場合でも、信号中継回路基板２０４及び信号中継回路基板２２８を変更するだけで対応できる。特に、音声信号や制御信号は低速の信号であり、信号中継回路基板２０４や信号中継回路基板２２８の設計の難易度は一般に低いので、これらを変更する場合でも、大きなコスト増加を抑えることができる。これに対し、電気−光変換回路基板２０３及び光−電気変換回路基板２１８は、あらたに設計をし直す等の必要がなく、共通仕様とすることで、開発コストを削減することができる。これらにより、低コストで光伝送装置２００を構成できる。
【０１３３】
なお、第３の実施形態では、電源回路２３０も、それぞれ対応する信号中継回路基板２０４及び信号中継回路基板２２８に設けるようにしているため、これらの回路基板の変更と同時に、電源回路２３０も変更でき、されに低コスト化を図ることができる。したがって、電源に起因するノイズの発生を防止する観点からは、第１実施形態や第２実施形態のように、電源から独立させればよく、電源回路２３０の変更に伴うコスト上昇を抑える観点からは、第３の実施形態のように、信号中継回路基板２０４及び信号中継回路基板２２８に電源回路２３０を設けた構成とすればよい。
【０１３４】
上記構成の第３の実施形態に対しては、さらに、使用するアプリケーションや求められる仕様等に応じて、各種の変更を加えた構成とすることができる。以下では、これらの変形例を、第４〜第６の実施形態として説明する。第４〜第６の実施形態では、第３の実施形態と同一の構成要素については同一符号を付して、その詳細な説明を省略する。
【０１３５】
［第４の実施形態］
図６には、第４の実施形態の光伝送装置３００が示されている。この光伝送装置３００では、送信モジュール３０２において、映像制御信号中継回路２０８が信号中継回路基板２０４ではなく電気−光変換回路基板２０３に設けられ、同じく、受信モジュール３０４において、映像制御信号中継回路２２２が信号中継回路基板２２８ではなく光−電気変換回路基板２１８に設けれらて、映像制御信号中継回路２０８と映像制御信号中継回路２２２との間を電気ケーブル７８で接続している点が第３の実施形態と異なっている。
【０１３６】
一般に、映像制御信号はＤＶＩ規格に含まれる信号であるため、商品やメーカーによって異なることはない。本実施形態では、上記のように、映像制御信号中継回路２０８を電気−光変換回路基板２０３に、映像制御信号中継回路２２２を光−電気変換回路基板２１８に設けることで、信号中継回路基板２０４や信号中継回路基板２２８をより簡易な構成としている。
【０１３７】
［第５の実施形態］
図７には、第５の実施形態の光伝送装置４００が示されている。この光伝送装置４００では、低帯域信号である映像制御信号、音声信号及び制御信号をシリアル化して送信する構成である。
【０１３８】
送信モジュール４１８の信号中継回路基板２０４にはＡＤ変換回路４０２が設けられており、音声信号がＡＤ変換回路４０２によってＡＤ変換される。
【０１３９】
また、信号中継回路基板２０４には信号制御回路４０４、信号電光変換回路４０６及び信号光電変換回路４０８が設けられている。信号制御回路４０４は、映像制御信号中継回路２０８、ＡＤ変換回路４０２及び制御信号中継回路２１２からのそれぞれの信号を、信号電光変換回路４０６から出力する。さらに、信号制御回路４０４は、信号光電変換回路４０８から入力された信号を、映像制御信号中継回路２０８及び制御信号中継回路２１２へと送る。
【０１４０】
これに対し、受信モジュール４２０の信号中継回路基板２２８には、ＤＡ変換回路４１０、信号制御回路４１２、信号光電変換回路４１４及び信号電光変換回路４１６が設けられている。そして、信号電光変換回路４０６と信号光電変換回路４１４、及び信号光電変換回路４０８と信号電光変換回路４１６とがそれぞれ１本ずつの光ファイバケーブル７２Ａ、光ファイバケーブル７２Ｂで接続されている。光ファイバケーブル７２Ａを介して送られた信号は、信号光電変換回路４１４から信号制御回路４１２に送られる。この信号は、映像制御信号、音声信号及び制御信号に分けられ、それぞれ、映像制御信号中継回路２２２、ＤＡ変換回路４１０及び制御信号中継回路２２６へと送られる。音声信号はさらにＤＡ変換回路４１０によってＤＡ変換され、音声信号中継回路２２４へと送られる。
【０１４１】
また、信号中継回路基板２２８からの映像制御信号と、制御信号中継回路２２６からの制御信号が、信号制御回路４１２を経て、信号電光変換回路４１６に伝送される。そして、これらの信号は、光ファイバケーブル７２Ｂを通して、信号光電変換回路４０８に送られる。さらにこれらの信号は、信号制御回路４０４で映像制御信号と制御信号とに分けられ、それぞれ、映像制御信号中継回路２０８及び制御信号中継回路２１２に送られる。
【０１４２】
このような構成の第５の実施形態では、低帯域信号である映像制御信号、音声信号及び制御信号をシリアル化し、送信モジュール２０２から受信モジュール２１６への信号の送信（下り）と、逆方向への送信（上り）とをそれぞれ１本の光ファイバケーブル７２Ａ、光ファイバケーブル７２Ｂで行っている。また、信号の伝送に光ケーブルを使用することで、電気的な制約を受けなくなるので、伝送距離を長くすることが可能になる。
【０１４３】
ただし、低帯域信号の伝送に使用するケーブルは、距離に応じて適切なものを選択可能である。たとえば、第５の実施形態の構成であっても、短距離の場合には、光ファイバケーブル７２Ａ、光ファイバケーブル７２Ｂに代えて、電気ケーブルを使用してもよい。光ファイバケーブル７２Ａを使用した構成では、これに対応する発光素子は例えばＶＣＳＥＬ等のＬＤが挙げられる。さらに、その他の信号用の発光素子をＬＥＤとし、信号の種類に応じて発光素子を適宜選択することで低コストにすることができ、より好ましい。また、第３の実施形態及び第４の実施形態の構成において、電気ケーブル７８に代えて光ケーブルを使用してもよい。さらには、以下の第６の実施形態に示すように、無線による伝送を行う構成でもよい。
【０１４４】
［第６の実施形態］
図８には、第６の実施形態の光伝送装置５００が示されている。光伝送装置５００では、第５の実施形態の信号電光変換回路４０６に代えて変調回路５０２及び送信回路５０４が設けられ、同様に信号電光変換回路４１６に代えて変調回路５０２及び送信回路５０４が設けられている。また、信号光電変換回路４０８に代えて受信回路５０６及び検波回路５０８が設けられ、同様に信号光電変換回路４１４に代えて受信回路５０６及び検波回路５０８が設けられている。
【０１４５】
したがって、第６の実施形態では、送信モジュール５１０と受信モジュール５１２との間を無線で伝送でき、こららの間の配線を無くすことができる。
【０１４６】
なお、第６の実施形態での無線の方式は特に限定されず、赤外線、ＦＭ波、Ｂｌｕｅｔｏｏｔｈ等、いずれであってもよい。また、無線の方式を適切に選択することで、送信モジュール２０２と受信モジュール２１６との間に障害物がある場合でも、その影響を少なくすることが可能となり、設置場所の制約が少なくなる。
【０１４７】
なお、上記の第４〜第６の各実施形態では、電源回路２３０を図示していないが、電源回路２３０はたとえば、第３実施形態と同様に、信号中継回路基板２０４、２２８に設けることができる。また、第３〜第６の各実施形態において、たとえば図９に示す光伝送装置２００’のように、信号中継回路基板２０４、２２８とは別体の電源回路基板２３２を設け、この電源回路基板２３２に電源回路２３０を設ける構成でもよい（図９では、第３の実施形態の構成を基に、電源回路基板２３２を別体で設けた構成としているが、第４〜第６の各実施形態においても同様に、電源回路基板２３２を信号中継回路基板２０４、２２８と別体で設けることができる）。これにより、たとえば電源の仕様（電圧や周波数など）異なる国や地域に対して、電源回路基板２３２のみを交換するなどによって、容易に対応可能となる。
【０１４８】
また、上記各実施形態では、映像信号、映像制御信号、音声信号、制御信号等の伝送を行なったが、信号の種類はこれらに限定されない。
【図面の簡単な説明】
【０１４９】
【図１】第１の実施形態に係る信号伝送装置の全体構成図である。
【図２】第２の実施形態に係る信号伝送装置の全体構成図である。
【図３】本発明の信号伝送装置と外部装置とを示す概略図である。
【図４】第３の実施形態に係る信号伝送装置の概略構成図である。
【図５】第３の実施形態に係る信号伝送装置のブロック図である。
【図６】第４の実施形態に係る信号伝送装置のブロック図である。
【図７】第５の実施形態に係る信号伝送装置のブロック図である。
【図８】第６の実施形態に係る信号伝送装置のブロック図である。
【図９】第３の実施形態の変形例に係る信号伝送装置のブロック図である。
【符号の説明】
【０１５０】
１０    光伝送装置（信号伝送装置）
１２    送信モジュール
１４    受信モジュール
１６    筐体（外装ケース）
１８    電気―光変換回路基板
２０    信号中継回路基板（第１信号中継基板）
３８    電源回路
４４    ＡＣアダプター
４６    筐体（外装ケース）
４８    光―電気変換回路基板
５０    信号中継回路基板（第２信号中継基板）
５６    映像信号ケーブル
６４    光―電気変換回路
６６    電源回路
６８    電気信号中継回路
７２    光ファイバケーブル
７８    電気ケーブル
８４    ＡＣアダプター
１００    光伝送装置
１０２    送信モジュール
１０４    電気信号中継回路基板
１１０    音声信号ケーブル
１１４    受信モジュール
１１６    電気信号中継回路基板
１１８    電気信号中継回路
２００    光伝送装置
２０２    送信モジュール
２０３    光変換回路基板
２０４    信号中継回路基板（第１信号中継基板）
２０６    映像信号電光変換回路
２０８    映像制御信号中継回路
２１０    音声信号中継回路
２１２    制御信号中継回路
２１４    電気信号入出力部
２１６    受信モジュール
２１８    信号中継回路基板（第２信号中継基板）
２２０    電気信号入出力部
２２１    映像信号光電変換回路
２２２    映像制御信号中継回路
２２４           音声信号中継回路
２２６           制御信号中継回路
２２８           信号中継回路基板
２３０           電源回路
２３２           電源ケーブル
２３２           電源回路基板
３００           光伝送装置
３０２           送信モジュール
３０４           受信モジュール
４００           光伝送装置
４０２           ＡＤ変換回路
４０４           信号制御回路
４０６           信号電光変換回路
４０８           信号光電変換回路
４１０           ＤＡ変換回路
４１２           信号制御回路
４１４           信号光電変換回路
４１６           信号電光変換回路
４１８           送信モジュール
４２０           受信モジュール
５００           光伝送装置
５０２           変調回路（無線通信部材）
５０４           送信回路（無線通信部材）
５０６           受信回路（無線通信部材）
５０８           検波回路（無線通信部材）
５１０           送信モジュール
５１２           受信モジュール
Ａ    ＬＥＤ（動作表示手段）
Ｂ    ＬＥＤ（動作不良表示手段）
Ｃ    ＬＥＤ（動作表示手段）
Ｄ    ＬＥＤ（動作不良表示手段）
Ｅ    ＬＥＤ（動作表示手段）
Ｆ    ＬＥＤ（動作不良表示手段）
Ｇ    ＬＥＤ（動作表示手段）
Ｈ    ＬＥＤ（動作不良表示手段）
【図１】
2005051729.tif 000003
【図２】
2005051729.tif 000004
【図３】
2005051729.tif 000005
【図４】
2005051729.tif 000006
【図５】
2005051729.tif 000007
【図６】
2005051729.tif 000008
【図７】
2005051729.tif 000009
【図８】
2005051729.tif 000010
【図９】
2005051729.tif 000011